(57)【特許請求の範囲】
【請求項１】
筒状をなしていて内部にガス通路（１）を有し上部に排気口（３）が形成され且つ下部に通気孔（４ａ、４ｂ）が形成された液口栓本体（５）と、前記液口栓本体内の上部に前記ガス通路（１）を横切って組み込まれた防爆フィルタ（６）と、前記液口栓本体内の前記ガス通路の下部に組み込まれた防沫手段（７）とを有する蓄電池用液口栓において、
前記液口栓本体（５）とは別部品としてキャップ状に形成されて上部に前記排気口（３）が形成された頂部（２）内に前記防爆フィルタ（６）が組み込まれ、
前記頂部（２）は、前記液口栓本体（５）のガス通路（１）の開口部（１Ａ）に、前記液口栓本体（５）内の下部の圧力がある圧力よりも上昇した際に待機位置から上昇するように昇降可能に組み込まれ、
前記頂部（２）が待機位置にあるときに前記頂部（２）の外周により塞がれ、前記頂部（２）が待機位置から上昇したときに開かれて前記ガス通路（１）内のガスを外部に排気する排気口（１６）が、前記液口栓本体（５）の周壁部を貫通して設けられていること、
を特徴とする蓄電池用液口栓。
【請求項２】
筒状をなしていて内部にガス通路（１）を有し上部に排気口（３）が形成され且つ下部に通気孔（４ａ、４ｂ）が形成された液口栓本体（５）と、前記液口栓本体内の上部に前記ガス通路（１）を横切って組み込まれた防爆フィルタ（６）と、前記液口栓本体内の前記ガス通路の下部に組み込まれた防沫手段（７）とを有する蓄電池用液口栓において、
前記防爆フィルタ（６）は筒体（２０）内に組み込まれ、
前記防爆フィルタを組み込んだ前記筒体（２０）は、上部に前記排気口（３）が形成された液口栓本体（５）の前記ガス通路内の上部寄りの位置に、前記液口栓本体内の下部の圧力がある圧力よりも上昇した際に待機位置から上昇するように昇降可能に組み込まれ、
前記筒体（２０）が待機位置にあるときに該筒体により塞がれ、筒体が待機位置から上昇した際に開かれてガス通路（１）内のガスを外部に排気する排気口（１６）が、液口栓本体（５）の周壁部を貫通して設けられていること、
を特徴とする蓄電池用液口栓。
【発明の詳細な説明】
【０００１】
【発明の属する技術分野】
本発明は、鉛蓄電池の如き蓄電池で用いる蓄電池用液口栓に関するものである。
【０００２】
【従来の技術】
従来のこの種の蓄電池用液口栓は、図７に示すように、筒状をなしていて内部にガス通路１を有し頂部２に排気口３が形成され且つ下部に第１，第２の通気口４ａ，４ｂが上下に位置を違えて開口されている液口栓本体５と、該液口栓本体５内の上部にガス通路１を横切ってセラミック等よりなる防爆フィルタ６が組み込まれ、液口栓本体５内のガス通路１の下部に防沫手段７が組み込まれた構造になっている。防爆フィルタ６は超音波等で液口栓本体５に固定されている。液口栓本体５の下部は、底板８で閉塞されている。防沫手段７は複数枚の斜め下向きの防沫板９がその中央の連結アーム１０で連結され、この連結アーム１０の下部は底板８に立設されて支持されている。液口栓本体５の上部外周には蓄電池の上蓋のネジ孔に螺合させるネジ部１１が設けられ、このネジ部１１の上の液口栓本体５の外周の凹部１２には蓄電池の上蓋に対するシールを行なうパッキン１３が支持されている。
【０００３】
このような蓄電池用液口栓では、例えば鉛蓄電池を自動車に搭載した場合、充電時に水素ガスが発生し、この水素ガスが通気口４ａ，４ｂから液口栓本体５内のガス通路１を防沫手段７を経て上昇し、防爆フィルタ６を通り抜けて排気口３から外部に排出させる。排気口３から水素ガスが排出された際に、外部火点（工具によるスパークやタバコ等による火点）により水素ガスに引火し、蓄電池内部の水素ガスに引火して爆発するのを防爆フィルタ６で防止する。
【０００４】
【発明が解決しようとする課題】
しかしながら、このような従来の蓄電池用液口栓にあっては、頂部２の排気口３に外部の異物が侵入して詰まったり、蓄電池内部の微量な活物質等がガスの通過時に防爆フィルタ６の下面に付着して、時間の経過につれて該防爆フィルタ６の通気性が低下し、最終的に該防爆フィルタ６が目詰まりを起こすと、充電時に発生したガスが外部に排出されなくなるので、蓄電池の内部圧力が異常に上昇し、蓄電池が爆発する恐れがある。
【０００５】
本発明の目的は、防爆フィルタが目詰まりしても蓄電池内部のガスの排気を行なえる蓄電池用液口栓を提供することにある。
【０００６】
【課題を解決するための手段】
本発明は、筒状をなしていて内部にガス通路（１）を有し上部に排気口（３）が形成され且つ下部に通気孔（４ａ、４ｂ）が形成された液口栓本体（５）と、該液口栓本体内の上部にガス通路（１）を横切って組み込まれた防爆フィルタ（６）と、前記液口栓本体内の前記ガス通路の下部に組み込まれた防沫手段（７）とを有する蓄電池用液口栓を改良するものである。
【０００７】
請求項１に記載の蓄電池用液口栓においては、液口栓本体（５）とは別部品としてキャップ状に形成されて上部に前記排気口（３）が形成された頂部（２）内に防爆フィルタ（６）が組み込まれている。頂部（２）は、液口栓本体（５）のガス通路（１）の開口部（１Ａ）に、液口栓本体（５）内の下部の圧力がある圧力よりも上昇した際に待機位置から上昇するように昇降可能に組み込まれ、頂部（２）が待機位置にあるときに頂部（２）の外周により塞がれ、頂部（２）が待機位置から上昇したときに開かれてガス通路（１）内のガスを外部に排気する排気口（１６）が、液口栓本体（５）の周壁部を貫通して設けられている。
【０００８】
このような蓄電池用液口栓では、防爆フィルタが目詰まりして通気性が低下するか、若しくは通気性がなくなると、蓄電池内部の圧力の上昇で防爆フィルタに内圧が作用して該防爆フィルタが組み込まれた頂部が待機位置から上昇する。この頂部の上昇により、液口栓本体の今まで塞がれていた排気口が開口されて、蓄電池内部の加圧ガスが外部に排気されるため、蓄電池の破裂を防止できる。
【０００９】
請求項２に記載の蓄電池用液口栓においては、防爆フィルタ（６）が筒体（２０）内に組み込まれている。防爆フィルタを組み込んだ筒体（２０）は、上部に前記排気口（３）が形成された液口栓本体（５）のガス通路内の上部寄りの位置に、液口栓本体内の下部の圧力がある圧力よりも上昇した際に待機位置から上昇するように昇降可能に組み込まれ、筒体（２０）が待機位置にあるときに該筒体により塞がれ、筒体が待機位置から上昇した際に開かれてガス通路（１）内のガスを外部に排気する排気口（１６）が、液口栓本体（５）の周壁部を貫通して設けられている。
【００１０】
このように構成された蓄電池用液口栓では、防爆フィルタが目詰まりして通気性が低下するか、若しくは通気性がなくなった際に、蓄電池内部の圧力の上昇で防爆フィルタに内圧が作用して該防爆フィルタと筒体とが待機位置から上昇する。この防爆フィルタと筒体の上昇で、液口栓本体の今まで塞がれていた排気口が開かれ、蓄電池内部の加圧ガスが外部に排気されるため、蓄電池の破裂を防止できる。
【００１１】
【発明の実施の形態】
図１乃至図５は本発明に係る蓄電池用液口栓における実施の形態の第１例を示したもので、図１は本例の蓄電池用液口栓で、防爆フィルタを組み込んだ頂部を液口栓本体に組み込む前の状態を示す縦断面図、図２は本例の蓄電池用液口栓で、防爆フィルタを組み込んだ頂部を液口栓本体に組み込んだ後の状態を示す縦断面図、図３は防爆フィルタを組み込んだ頂部の液口栓本体に対する組み込み状態を示す要部拡大縦断面図、図４は本例の蓄電池用液口栓で、正常時のガスの排気を示す縦断面図、図５は本例の蓄電池用液口栓で、内圧の上昇時のガスの排気を示す縦断面図である。なお、前述した図７と対応する部分には、同一符号を付けて示している。
【００１２】
本例の蓄電池用液口栓では、液口栓本体５において排気口３を有する頂部２は、該液口栓本体５とは別部品としてキャップ状に形成されている。この頂部２内には、セラミック等よりなる防爆フィルタ６が組み込まれ、超音波等で固定されている。防爆フィルタ６を組み込んだ頂部２は、液口栓本体５のガス通路１の開口部１Ａに、液口栓本体５内の下部の圧力がある圧力よりも上昇した際に待機位置から上昇するように昇降可能に組み込まれている。頂部２が液口栓本体５のガス通路１の開口部１Ａ内で、所定の範囲で昇降可能なように、図３に示す如く、液口栓本体５のガス通路１の開口部１Ａの内周には環状の突起１４が突設され、頂部２の外周には軸線方向に所定の幅で凹部１５が形成されている。また頂部２と防爆フィルタ６が待機位置に存在する際に該頂部２により塞がれ、頂部２と防爆フィルタ６が待機位置から上昇した際に開かれて外部に排気を行う排気口１６が、液口栓本体５の周壁部を貫通して設けられている。
【００１３】
このような構造の蓄電池用液口栓１７は、図４及び図５に示すように蓄電池の蓋１８のネジ孔１９に螺合され、パッキン１３の圧縮によりシールが行なわれている。
【００１４】
このような蓄電池用液口栓１７では、蓄電池内部の圧力が正常で防爆フィルタ６が詰まりしてしない時には、図４に示すように防爆フィルタ６を組み込んだ頂部２が待機位置にある。この待機位置では、液口栓本体５の排気口１６は頂部２の外周で塞がれ、排気を行なっていない。
【００１５】
次に、防爆フィルタ６が目詰まりして通気性が低下するか、若しくは通気性がなくなると、蓄電池内部の圧力の上昇で防爆フィルタ６に内圧が作用して該防爆フィルタ６と頂部２とが待機位置から図５に示すように上昇する。この防爆フィルタ６と頂部２の上昇で、液口栓本体５の今まで塞がれていた排気口１６が開口され、蓄電池内部の加圧ガスが外部に排気され、蓄電池の破裂を防止できる。
【００１６】
図６は、本発明に係る蓄電池用液口栓における実施の形態の第２例を示した要部拡大縦断面図である。
【００１７】
本例の蓄電池用液口栓１７では、セラミック等よりなる防爆フィルタ６は筒体２０内に組み込まれ、超音波等で固定されている。この筒体２０に組み込まれた防爆フィルタ６は、液口栓本体５内の下部の圧力がある圧力よりも上昇した際に待機位置から上昇するように昇降可能に組み込まれている。筒体２０に組み込まれた防爆フィルタ６が液口栓本体５のガス通路１内で、所定の範囲で昇降可能なように、液口栓本体５のガス通路１の内周には環状の突起１４が突設され、筒体２０の外周には軸線方向に所定の幅で凹部１５が形成されている。液口栓本体５の周壁部には、筒体２０と防爆フィルタ６が待機位置に存在する際に該筒体２０により閉となっており、筒体２０と防爆フィルタ６が待機位置から上昇した際に開となって外部に排気を行う排気口１６が設けられている。
【００１８】
このような蓄電池用液口栓１７でも、防爆フィルタ６が目詰まりして通気性が低下するか、若しくは通気性がなくなると、第１例と同様に動作して蓄電池内部の加圧ガスを外部に排気し、蓄電池の破裂を防止できる。
【００１９】
なお、この第２例においては、防爆フィルタ６の外周が樹脂の浸透等で通気性がないようにしておくと、筒体２０を省略することができる。
【００２０】
【発明の効果】
請求項１に記載の蓄電池用液口栓においては、液口栓本体とは別部品としてキャップ状に形成されて上部に排気口（３）が形成された頂部（２）内に防爆フィルタ（６）を組み込んで、該頂部（２）を、液口栓本体のガス通路の開口部に、液口栓本体内の下部の圧力がある圧力よりも上昇した際に待機位置から上昇するように昇降可能に組み込み、頂部（２）が待機位置にあるときに頂部（２）の外周により塞がれ、頂部（２）が待機位置から上昇したときに開かれてガス通路（１）内のガスを外部に排気する排気口（１６）を、液口栓本体（５）の周壁部を貫通して設けたので、防爆フィルタが目詰まりして通気性が低下するか、若しくは通気性がなくなって、蓄電池内部の圧力の上昇で防爆フィルタに内圧が作用したときに頂部を待機位置から上昇させて、液口栓本体の今まで塞がれていた排気口（１６）を開くことができ、これにより蓄電池内部の加圧ガスを外部に排気して、蓄電池の破裂を防止することができる。
【００２１】
請求項２に記載の蓄電池用液口栓においては、防爆フィルタを筒体（２０）内に組み込み、該防爆フィルタを組み込んだ筒体を、上部に排気口（３）が形成された液口栓本体（５）のガス通路内の上部寄りの位置に、液口栓本体内の下部の圧力がある圧力よりも上昇した際に待機位置から上昇するように昇降可能に組み込んで、筒体（２０）が待機位置にあるときに該筒体により塞がれ、筒体が待機位置から上昇した際に開かれてガス通路（１）内のガスを外部に排気する排気口（１６）を、液口栓本体（５）の周壁部を貫通して設けたので、防爆フィルタが目詰まりして通気性が低下するか、若しくは通気性がなくなって蓄電池内部の圧力が上昇した際に防爆フィルタと筒体とを待機位置から上昇させて、液口栓本体の今まで塞がれていた排気口を開口させることができ、これにより蓄電池内部の加圧ガスを外部に排気して、蓄電池の破裂を防止することができる。
【図面の簡単な説明】
【図１】  本発明に係る蓄電池用液口栓における実施の形態の第１例で、防爆フィルタを組み込んだ頂部を液口栓本体に組み込む前の状態を示す縦断面図である。
【図２】  本例の蓄電池用液口栓で、防爆フィルタを組み込んだ頂部を液口栓本体に組み込んだ後の状態を示す縦断面図である。
【図３】  本例の蓄電池用液口栓で、防爆フィルタを組み込んだ頂部の液口栓本体に対する組み込み状態を示す要部拡大縦断面図である。
【図４】  本例の蓄電池用液口栓で、正常時のガスの排気を示す縦断面図である。
【図５】  本例の蓄電池用液口栓で、内圧の上昇時のガスの排気を示す縦断面図である。
【図６】  本発明に係る蓄電池用液口栓における実施の形態の第２例で、防爆フィルタを組み込んだ筒体の液口栓本体に対する組み込み状態を示す要部拡大縦断面図である。
【図７】  従来の蓄電池用液口栓の縦断面図である。
【符号の説明】
１  ガス通路
１Ａ  開口部
２  頂部
３  排気口
４ａ，４ｂ  通気口
５  液口栓本体
６  防爆フィルタ
７  防沫手段
８  底板
９  防沫板
１０  連結アーム
１１  ネジ部
１２  凹部
１３  パッキン
１４  突起
１５  凹部
１６  排気口
１７  蓄電池用液口栓
１８  蓋
１９  ネジ孔
２０  筒体
【図１】
0004288824.tif 000002
【図２】
0004288824.tif 000003
【図３】
0004288824.tif 000004
【図４】
0004288824.tif 000005
【図５】
0004288824.tif 000006
【図６】
0004288824.tif 000007
【図７】
0004288824.tif 000008